(57)【要約】【課題】  雨量が多い時でも水切効果を充分に発揮し、取出口からポスト本体内への雨水の浸入を効率よく防止することができる、サインポストを提供する。【解決手段】  ポスト本体１１前面に投入口２を形成し、この投入口２に対向するようにポスト本体１１背面に取出口３を形成してなり、この取出口３の下端を軸として取出口蓋４が外方に向かって回動自在に設けられ、取出口蓋４の回動によって取出口３が開閉されるサインポスト１であって、取出口３の上部に二段以上の水切段部５を形成した庇部６を長手方向にわたって形成してなるサインポスト１。【選択図】図１
2006296891.tif 000002
【特許請求の範囲】
【請求項１】
ポスト本体前面に投入口を形成し、この投入口に対向するようにポスト本体背面に取出口を形成してなり、この取出口の下端を軸として取出口蓋が外方に向かって回動自在に設けられ、取出口蓋の回動によって取出口が開閉されるサインポストであって、取出口の上部に、二段以上の水切段部を下面に形成した庇部を長手方向にわたって形成してなることを特徴とするサインポスト。
【発明の詳細な説明】
【技術分野】
【０００１】
本願発明は、埋め込み型等のサインポストに関するものである。
【背景技術】
【０００２】
従来、雨水の浸入を防止するサインポストとしては、たとえば、ポスト本体に設けられた、郵便物等の投函物を投入する投入口上方に庇を設け、その基部に水切段部を設けたサインポストが提案されている（特許文献１参照）。
【０００３】
このサインポストは、水切段部を投入口よりも前方に設けていることで、庇の下面をつたう雨水を水切段部の位置で水切りし、下方に滴下させて排水させることができ、投入口よりポスト本体内に雨水が浸入することを防止している。
【特許文献１】実開平５−０２８２７２号公報
【発明の開示】
【発明が解決しようとする課題】
【０００４】
しかしながら、上記特許文献１記載のようなサインポストにおいては、投入口からの雨水の浸入を防止することができるが、投入口に対向するようにポスト本体背面に設けられた取出口からの雨水の浸入を防止することはできないという問題があった。
【０００５】
そこで、本願発明は、上記従来の問題点を解消するためになされたものであり、雨量が多い時でも水切効果を充分に発揮し、取出口からポスト本体内への雨水の浸入を効率よく防止することができる、新しいサインポストを提供することを課題とするものである。
【課題を解決するための手段】
【０００６】
本願発明は、上記の課題を解決するものとして、ポスト本体前面に投入口を形成し、この投入口に対向するようにポスト本体背面に取出口を形成してなり、この取出口の下端を軸として取出口蓋が外方に向かって回動自在に設けられ、取出口蓋の回動によって取出口が開口されるサインポストであって、取出口の上部に、二段以上の水切段部を下面に形成した庇部を長手方向にわたって形成してなることを特徴とする。
【発明の効果】
【０００７】
本願発明によれば、雨量が多い時でも水切効果を充分に発揮し、取出口からポスト本体内への雨水の浸入を効率よく防止することができる。
【発明を実施するための最良の形態】
【０００８】
本願発明は、上記のとおりの特徴をもつものであるが、以下に、添付した図面に沿って、本願発明の実施形態について詳細かつ具体的に説明する。
【０００９】
図１は、本願発明のサインポストの一実施形態を例示した断面図である。図２は、本願発明のサインポストの背部を例示した要部断面斜視図である。図３は、図１におけるＸ部の拡大図であり、水切りの様子を例示している。図４は、本願発明のサインポストの全体斜視図であり、（Ａ）は取出口蓋が閉まっている状態、（Ｂ）は取出口蓋が開いている状態を示している。
【００１０】
まず、図１および図２に沿って、本願発明のサインポスト１を説明する。本願発明のサインポスト１は、ポスト本体１１の前面に、投函物等を投入する投入口２を形成し、また、この投入口２と対向するように、ポスト本体１１の背面に、投入された投函物を取り出すための取出口３を形成している。
【００１１】
この取出口３の下端を軸として、取出口蓋４がサインポスト１の外方に向かって回動自在に設けられ、取出口蓋４の回動によって取出口３を開閉するようにしている。具体的には、たとえば、取出口蓋４の下部に少なくとも１つ以上の軸棒支持部材４１を長手方向にわたって設け、この軸棒支持部材４１に、取出口蓋４を上記のとおり回動せしめるための軸棒４２を挿通するとともに、その左右両端部をポスト本体１１の内壁面に当接保持させている。
【００１２】
そして、サインポスト１の取出口３の上部に、外方に向かった上り階段状の二段以上の水切段部５を有する庇部６を、サインポスト１のほぼ長手方向にわたって形成している。このように水切段部５を二段以上の階段構造とすることで、図３に例示したように、庇部６をつたう雨水Ｗを水切りし、下方へと滴下させ、効率よく排水することができる。また、雨量が多い時には、万一、雨水Ｗが一段目の水切段部５を越えて浸入してきても、二段目以降の水切段部５で浸入を防止することができる。したがって、本願発明のサインポスト１によれば、雨量の多い時でも、水切効果を充分に発揮することができ、取出口３からポスト本体１１内への雨水Ｗの浸入を防止することができる。このとき、図１から図３の例のように、水切段部５の階段構造を鋸歯状に形成することで、雨水Ｗが内方（取出口蓋４側）へと流れていくことなく、より効率よく水切りすることができ、好ましい。
【００１３】
なお、図１や図２、図３の例では、水切段部５は、二段構造としているが、これに限定されるものではなく、たとえば、三段構造や四段構造等としてもよい。
【００１４】
また、図１および図４に例示したように、本願発明のサインポスト１においては、取出口蓋４に、通常、投函物の確認のため内部が見えるような透明もしくは半透明なのぞき窓４３を設けてもよい。さらには、取出口蓋４の開閉をスムーズにするために、図１や図３、図４の例のようにプッシュラッチ７や、図には示していないが把手等が配設されていてもよい。
【００１５】
特にプッシュラッチ７とすることで、取出口蓋４の開閉を簡単にすることができ、好ましい。具体的には、プッシュラッチ７の場合、プッシュラッチ７とポスト本体１１側に形成されているプッシュラッチ受部１２との係合が、プッシュラッチ７を押すだけで開放され、取出口蓋４を開くことができる。このため、たとえば、荷物等で片手しか使用できない場合でも、簡単に開くことができる。その一方で、取出口蓋４を閉じるときも、取出口蓋４を押し込むだけで、プッシュラッチ７とプッシュラッチ受部１２との係合が確実に行われ、取出口蓋４を確実に閉じることができる。また、このプッシュラッチ７は、防犯性の高いロック機能を有するダイアル式プッシュラッチでもよい。
【００１６】
そして、本願発明のサインポスト１は、取出口蓋４の開閉方式を、上記のとおり、下開き式としているため、従来の上開き式のサインポストのように、取出口蓋４を開きながら使用者は体を屈ませて、投函物の有無を確認して、取り出すという必要がなくなった。具体的には、下開き式とすることで、使用者の手を煩わせることなく、取出口蓋４を開放した状態に維持させることができ、その間に投函物の確認および取り出しをスムーズにできる。
【００１７】
このような特徴を有する本願発明のサインポスト１は、図４の例のようにブロック塀８等に埋め込んで設置する埋め込み型のサインポスト１としてもよいし、図には示していないが、壁掛け型や据置き型、ポール取付け型等のサインポストとしてもよい。
【００１８】
なお、図には示していないが、本願発明のサインポストの投入口には、開閉自在の蓋体が投入口をカバーするように備えられていてもよく、その際には、バネを介して備えられていることで、投函物等の投函時には内側に押し込まれて開き、投函後にはバネによって閉じることができる。
【００１９】
さらにまた、本願発明のサインポストにおいて、ポスト本体の内底面に、短時間の受光により長時間にわたり高明度の発光をすることが可能な汎用の蓄光性材料が、その一部または全部が投入口から投入された投函物によって、隠蔽されるように配設して発光層を形成してもよい。発光層を形成することで、発光層の光量の強弱の変化から、夜間でも投函物の有無を簡単に確認できる。つまり、投函物が投函されていない場合には、発光層が発する光が投函物によって遮断されることはないので、光量に変化はほとんどなく、光量が強い状態にある。一方、投函物が投函されている場合には、この投函物によって発光層が発する光は遮断されることになり、光量が弱くなる。
【００２０】
なお、発光層が発光するためには、太陽光やＵＶ等の光の吸収が必要であるが、通常、取出口蓋には、上記のとおり、透明もしくは半透明ののぞき窓を有しているので、効率よく光が入射して蓄光（吸収）することができるとともに、発光時の光量も確認できる。
【００２１】
もちろん、本願発明のサインポストは、以上の例示によって限定されるものではなく、その細部において様々な態様とすることが可能であることはいうまでもない。たとえば、サインポストを構成する各部材の材質としては、ガルバリウム鋼板、ステンレス（ＳＵＳ３０４等）、プラスチック等、適宜に使用することができ、これらに必要に応じて耐候性を高めるための塗装処理等を施してもよい。
【図面の簡単な説明】
【００２２】
【図１】本願発明のサインポストの一実施形態を例示した断面図である。
【図２】本願発明のサインポストの背部を例示した要部断面斜視図である。
【図３】図１におけるＸ部の拡大図であり、水切りの様子を例示している。
【図４】本願発明のサインポストの全体斜視図であり、（Ａ）は取出口蓋が閉まっている状態、（Ｂ）は取出口蓋が開いている状態を示している。
【符号の説明】
【００２３】
１  サインポスト
１１  ポスト本体
１２  プッシュラッチ受部
２  投入口
３  取出口
４  取出口蓋
４１  軸棒支持部材
４２  軸棒
４３  のぞき窓
５  水切段部
６  庇部
７  プッシュラッチ
８  ブロック塀
【図１】
2006296891.tif 000003
【図２】
2006296891.tif 000004
【図３】
2006296891.tif 000005
【図４】
2006296891.tif 000006